(57)【要約】【課題】液晶装置の共通電極に供給される共通電圧の異常を検知する。【解決手段】複数の画素に共通の共通電極３０を備える液晶パネル１０に電圧を供給する電圧供給回路に、共通電極３０に供給する共通電圧ＶＣＯＭを生成する共通電圧生成回路３１０と、共通電圧ＶＣＯＭを液晶パネル１０に出力する出力端子３２０と、液晶パネル１０において検出された共通電極３０の電圧が検出電圧ＶＣＯＭ＿ＩＮとして入力される入力端子３６０と、入力端子３６０に入力される検出電圧ＶＣＯＭ＿ＩＮが正常であるか否かを判定する第１判定回路３５３を設けた。【選択図】図３
2020140032.tif 000002
【特許請求の範囲】
【請求項１】
複数の画素に共通の共通電極を備える液晶パネルに電圧を供給する電圧供給回路であって、
前記共通電極に供給する共通電圧を生成する共通電圧生成回路と、
前記共通電圧を前記液晶パネルに出力する出力端子と、
前記液晶パネルにおける前記共通電極の電圧が検出電圧として入力される入力端子と、
前記入力端子に入力される前記検出電圧が正常であるか否かを判定する第１判定回路と、
を有する電圧供給回路。
【請求項２】
前記第１判定回路は、前記検出電圧が第１基準電圧以下且つ第２基準電圧以上である場合、正常であると判定する、ことを特徴とする請求項１に記載の電圧供給回路。
【請求項３】
前記共通電圧より第１電圧だけ高い前記第１基準電圧と、前記共通電圧より第２電圧だけ低い前記第２基準電圧とを生成する第１基準電圧生成回路を備える請求項２に記載の電圧供給回路。
【請求項４】
前記共通電圧が正常であるか否かを判定する第２判定回路と、
前記第１判定回路の判定結果が否定である場合、前記液晶パネルに異常があると特定し、前記第１判定回路の判定結果が肯定であり、且つ前記第２判定回路の判定結果が否定である場合、前記共通電圧生成回路に異常があると特定する特定回路と、
を備えることを特徴とする請求項１から３までのうち何れか１項に記載の電圧供給回路。
【請求項５】
前記共通電圧生成回路は、前記共通電圧を所定の分圧比で分圧した電圧と定電圧との比較結果に基づいて、前記共通電圧を生成し、
当該電圧供給回路は、
前記定電圧より第３電圧だけ高い第３基準電圧と、前記定電圧より第４電圧だけ低い第４基準電圧とを生成する第２基準電圧生成回路を有し、
前記第２判定回路は、
前記検出電圧を前記所定の分圧比で分圧した電圧が、前記第３基準電圧以下且つ前記第４基準電圧以上である場合、前記共通電圧が正常であると判定する、
請求項４に記載の電圧供給回路。
【請求項６】
前記定電圧より第３電圧だけ高い第３基準電圧と、前記定電圧より第４電圧だけ低い第４基準電圧とを生成する第２基準電圧生成回路を有し、
前記第１基準電圧及び前記第２基準電圧の第１の組と、前記第３基準電圧及び前記第４基準電圧の第２の組が入力され、第１期間において前記第１の組を前記第１の判定回路に出力し、第２期間において前記第２の組を前記第１の判定回路に出力する第１選択回路と、
前記検出電圧と前記検出電圧を前記所定の分圧比で分圧した電圧とが入力され、前記第１期間において前記検出電圧を前記第１の判定回路に出力し、前記第２期間において前記所定の分圧比で分圧した電圧を前記第１の判定回路に出力する第２選択回路と、を有し、
前記第１判定回路は、
前記第１期間において前記第２選択回路から出力される前記検出電圧が、前記基準電圧の第１の組の範囲内にあれば、検出電圧が正常であると判定し、
前記第２期間において前記第２選択回路から出力される前記分圧した電圧が、前記基準電圧の第２の組の範囲内にあれば、共通電圧が正常であると判定する、
請求項１から３までのうち、いずれか１項に記載の電圧供給回路。
【請求項７】
前記第１判定回路は、前記検出電圧が第５基準電圧以下又は第６基準電圧以上である場合、正常であると判定する、ことを特徴とする請求項１に記載の電圧供給回路。
【請求項８】
前記共通電圧生成回路は、前記共通電圧を所定の分圧比で分圧した電圧と定電圧との比較結果に基づいて、前記共通電圧を生成し、
当該電圧供給回路は、
前記検出電圧を前記所定の分圧比で分圧した電圧が、第７基準電圧以下又は第８基準電圧以上である場合、前記共通電圧が正常であると判定する第２判定回路と、
前記第１判定回路の判定結果が否定である場合、前記液晶パネルに異常があると特定し、前記第１判定回路の判定結果が肯定であり、且つ前記第２判定回路の判定結果が否定である場合、前記共通電圧生成回路に異常があると特定する特定回路と、
を備える、請求項７に記載の電圧供給回路。
【請求項９】
前記共通電圧生成回路は、前記共通電圧を所定の分圧比で分圧した電圧と定電圧との比較結果に基づいて、前記共通電圧を生成し、
当該電圧供給回路は、
前記共通電圧を前記所定の分圧比で分圧した電圧が、第７基準電圧以下又は第８基準電圧以上である場合、前記共通電圧が正常であると判定する第２判定回路と、
前記第１判定回路の判定結果が否定であり、且つ前記第２判定回路の判定結果が肯定である場合、前記液晶パネルに異常があると判定し、前記第２判定回路の判定結果が否定である場合、前記共通電圧生成回路に異常があると特定する特定回路と、
を備える、請求項７に記載の電圧供給回路。
【請求項１０】
複数の画素に共通の共通電極を備える液晶パネルに電圧を供給する電圧供給回路であって、
前記共通電極に供給する共通電圧を生成する共通電圧生成回路と、
前記共通電圧を前記液晶パネルに出力する出力端子と、
前記液晶パネルにおける前記共通電極の電圧が検出電圧として入力される入力端子とを有し、
前記共通電圧生成回路は、前記共通電圧を所定の分圧比で分圧した電圧と定電圧との比較結果に基づいて、前記共通電圧を生成し、
当該電圧供給回路は、
前記定電圧より第３電圧だけ高い第３基準電圧と、前記定電圧より第４電圧だけ低い第４基準電圧とを生成する第２基準電圧生成回路と、
前記入力端子に入力される前記検出電圧を前記所定の分圧比で分圧した電圧が、前記第３基準電圧以下且つ前記第４基準電圧以上である場合に、前記検出電圧が正常である、と判定する第３判定回路と、
前記共通電圧を前記所定の分圧比で分圧した電圧が、前記第３基準電圧以下且つ前記第４基準電圧以上である場合に、前記共通電圧が正常である、と判定する第４判定回路と、
前記第３判定回路の判定結果が否定であり、且つ前記第４判定回路の判定結果が肯定である場合、前記液晶パネルに異常があると特定し、前記第４判定回路の判定結果が否定である場合、前記共通電圧生成回路に異常があると特定する特定回路と、
を備える電圧供給回路。
【請求項１１】
複数の画素に共通の共通電極を備える液晶パネルに電圧を供給する電圧供給回路であって、
前記共通電極に供給する共通電圧を生成する共通電圧生成回路と、
前記共通電圧を前記液晶パネルに出力する出力端子と、
前記液晶パネルにおける前記共通電極の電圧が検出電圧として入力される入力端子とを有し、
前記共通電圧生成回路は、前記共通電圧を所定の分圧比で分圧した電圧と定電圧との比較結果に基づいて、前記共通電圧を生成し、
当該電圧供給回路は、
前記定電圧より第３電圧だけ高い第３基準電圧と、前記定電圧より第４電圧だけ低い第４基準電圧とを生成する第２基準電圧生成回路と、
前記共通電圧を前記所定の分圧比で分圧した電圧が、前記入力端子に入力される前記検出電圧を前記所定の分圧比で分圧した電圧の、第１の値以上で且つ第２の値以下の場合、前記液晶パネルが正常である、と判定する第５判定回路と、
前記入力端子に入力される前記検出電圧を前記所定の分圧比で分圧した電圧が、前記第３基準電圧以下且つ前記第４基準電圧である場合に、前記検出電圧が正常である、と判定する第６判定回路と、
前記第５判定回路の判定結果が否定である場合、前記液晶パネルに異常があると特定し、前記第５判定回路の判定結果が肯定であり、且つ前記第６判定回路の判定結果が否定である場合、前記共通電圧生成回路に異常があると特定する特定回路と、
を備える電圧供給回路。
【請求項１２】
請求項１から１１までのうち、いずれか１項に記載の電圧供給回路と、
複数の画素に共通の共通電極を備える液晶パネルと、
を備える液晶装置。
【請求項１３】
前記共通電極は、
前記出力端子と電気的に接続され、前記共通電極の１辺に配置される第１接続部と、
前記入力端子と電気的に接続され、前記共通電極の１辺と異なる辺に配置された第２接続部と、
を備える請求項１２に記載の液晶装置。
【請求項１４】
請求項１２又は１３に記載の液晶装置を備える電子機器。
【請求項１５】
請求項１４に記載の電子機器を備える移動体。
【発明の詳細な説明】
【技術分野】
【０００１】
この発明は、液晶装置の電圧供給回路に関する。
【背景技術】
【０００２】
液晶装置では、液晶パネルに対して不適切な電圧が与えられることにより表示異常が発生する場合がある。そこで、特許文献１に記載の技術では、液晶パネルの表示異常の原因となる走査信号及びデータ信号の異常を検出している。
【先行技術文献】
【特許文献】
【０００３】
【特許文献１】特開２０１７−１８１５７４号公報
【発明の概要】
【発明が解決しようとする課題】
【０００４】
しかしながら、液晶パネルの表示異常には、焼付き現象によるものがあり、この焼付き現象は液晶パネルの共通電極に与えられる共通電圧が正常値からずれることにより発生する。従来、このような共通電圧の異常に起因した焼付き現象の発生を検知する技術が提供されていなかった。
【課題を解決するための手段】
【０００５】
この発明の一態様による電圧供給回路は、複数の画素に共通の共通電極を備える液晶パネルに電圧を供給する電圧供給回路であって、前記共通電極に供給する共通電圧を生成する共通電圧生成回路と、前記共通電圧を前記液晶パネルに出力する出力端子と、前記液晶パネルにおける前記共通電極の電圧が検出電圧として入力される入力端子と、前記入力端子に入力される前記検出電圧が正常であるか否かを判定する第１判定回路と、を有する。
【０００６】
この発明の他の態様による電圧供給回路は、複数の画素に共通の共通電極を備える液晶パネルに電圧を供給する電圧供給回路であって、前記共通電極に供給する共通電圧を生成する共通電圧生成回路と、前記共通電圧を前記液晶パネルに出力する出力端子と、前記液晶パネルにおける前記共通電極の電圧が検出電圧として入力される入力端子とを有し、前記共通電圧生成回路は、前記共通電圧を所定の分圧比で分圧した電圧と定電圧との比較結果に基づいて、前記共通電圧を生成し、当該電圧供給回路は、前記定電圧より第３電圧だけ高い第３基準電圧と、前記定電圧より第４電圧だけ低い第４基準電圧とを生成する第２基準電圧生成回路と、前記入力端子に入力される前記検出電圧を前記所定の分圧比で分圧した電圧が、前記第３基準電圧以下且つ前記第４基準電圧以上である場合に、前記検出電圧が正常である、と判定する第３判定回路と、前記共通電圧を前記所定の分圧比で分圧した電圧が、前記第３基準電圧以下且つ前記第４基準電圧以上である場合に、前記共通電圧が正常である、と判定する第４判定回路と、前記第３判定回路の判定結果が否定であり、且つ前記第４判定回路の判定結果が肯定である場合、前記液晶パネルに異常があると特定し、前記第４判定回路の判定結果が否定である場合、前記共通電圧生成回路に異常があると特定する特定回路と、を備える。
【０００７】
この発明の他の態様による電圧供給回路は、複数の画素に共通の共通電極を備える液晶パネルに電圧を供給する電圧供給回路であって、前記共通電極に供給する共通電圧を生成する共通電圧生成回路と、前記共通電圧を前記液晶パネルに出力する出力端子と、前記液晶パネルにおける前記共通電極の電圧が検出電圧として入力される入力端子とを有し、前記共通電圧生成回路は、前記共通電圧を所定の分圧比で分圧した電圧と定電圧との比較結果に基づいて、前記共通電圧を生成し、当該電圧供給回路は、前記定電圧より第３電圧だけ高い第３基準電圧と、前記定電圧より第４電圧だけ低い第４基準電圧とを生成する第２基準電圧生成回路と、前記共通電圧を前記所定の分圧比で分圧した電圧が、前記入力端子に入力される前記検出電圧を前記所定の分圧比で分圧した電圧の、第１の値以上で且つ第２の値以下の場合、前記液晶パネルが正常である、と判定する第５判定回路と、前記入力端子に入力される前記検出電圧を前記所定の分圧比で分圧した電圧が、前記第３基準電圧以下且つ前記第４基準電圧である場合に、前記検出電圧が正常である、と判定する第６判定回路と、前記第５判定回路の判定結果が否定である場合、前記液晶パネルに異常があると特定し、前記第５判定回路の判定結果が肯定であり、且つ前記第６判定回路の判定結果が否定である場合、前記共通電圧生成回路に異常があると特定する特定回路と、を備える。
【図面の簡単な説明】
【０００８】
【図１】第１実施形態である電圧供給回路を含む液晶装置の構成を示すブロック図である。
【図２】同液晶装置における画素回路の構成を示す図である。
【図３】同電圧供給回路の構成を示すブロック図である。
【図４】同電圧供給回路の具体的構成例を示す回路図である。
【図５】同電圧供給回路における判定回路の構成例を示す回路図である。
【図６】第２実施形態である電圧供給回路における監視回路の構成を示す回路図である。
【図７】同監視回路の動作を示すタイムチャートである。
【図８】第３実施形態である電圧供給回路の構成を示す回路図である。
【図９】第４実施形態における電圧供給回路と共通電極の構成を示す図である。
【図１０】応用例である投射型表示装置の模式図である。
【図１１】応用例であるパーソナルコンピューターの模式図である。
【図１２】応用例である携帯電話機の模式図である。
【図１３】応用例である移動体の模式図である。
【発明を実施するための形態】
【０００９】
以下、図面を参照して実施の形態を説明する。ただし、各図において、各部の寸法及び縮尺は、実際のものと適宜に異ならせてある。また、以下に述べる実施の形態は、技術的に好ましい種々の限定が付されているが、実施の形態はこれらの形態に限られるものではない。
【００１０】
Ａ．第１実施形態
図１は、第１実施形態である電圧供給回路３００を含む液晶装置１のブロック図である。液晶装置１は、液晶パネル１０と、液晶パネル１０を駆動する駆動回路１０００と、駆動回路１０００の制御を行うホストプロセッサー２０００とを具備する。
【００１１】
液晶パネル１０には、ｘ方向に延在する第１行〜第Ｍ行のＭ本の走査線２１と、ｘ方向に交差するｙ方向に延在する第１列〜第Ｎ列のＮ本のデータ線２２とが形成される。但し、Ｍ及びＮは自然数である。液晶パネル１０では、走査線２１とデータ線２２との各交差に対応して縦Ｍ行×横Ｎ列の行列状に画素回路Ｐｘが配列される。
【００１２】
図１に示すように、駆動回路１０００は、走査線駆動回路１００と、データ線駆動回路２００と、電圧供給回路３００と、制御回路４００と、インタフェース５００とを備える。
【００１３】
制御回路４００には、ホストプロセッサー２０００からインタフェース５００を介して入力画像データＤｉｎが、同期信号に同期して供給される。ここで、入力画像データＤｉｎとは、各画素回路Ｐｘで表示すべき階調を規定するデータである。例えば、入力画像データＤｉｎは、各画素で表示すべき階調を８ビットで規定するデジタルデータであってもよい。また、同期信号とは、例えば垂直同期信号Ｖｓｙｎｃ及び水平同期信号Ｈｓｙｎｃや、ドットクロック信号等を含む信号である。
【００１４】
制御回路４００は、ホストプロセッサー２０００から供給される同期信号に基づいて、各種の制御信号を発生し、走査線駆動回路１００、データ線駆動回路２００及び電圧供給回路３００の制御を行う。また、制御回路４００は、ホストプロセッサー２０００から供給される入力画像データＤｉｎに基づいて、液晶パネル１０に表示すべき画像を示す表示画像データを生成し、データ線駆動回路２００に対して出力する。
【００１５】
走査線駆動回路１００は、水平同期信号Ｈｓｙｎｃに同期し、液晶パネル１０の各走査線２１に走査信号Ｇ［ｉ］を供給することで、第１行〜第Ｍ行の走査線２１を１水平走査期間Ｈ毎に１本ずつ順番に選択する。但し、ｉは、１からＭまでの自然数である。より具体的には、走査線駆動回路１００は、走査信号Ｇ［ｉ］をアクティブレベルにすることで、第ｉ行の走査線２１を選択する。
【００１６】
データ線駆動回路２００は、走査線駆動回路１００による走査線２１の選択に同期して、液晶パネル１０を駆動する複数の駆動信号、具体的にはＮ本のデータ線２２を駆動するデータ信号Ｖｄ［ｎ］を出力する。但し、ｎはｘ方向に沿って並んだ画素の番号であり、１からＮまでの自然数となる。
【００１７】
電圧供給回路３００は、液晶パネル１０の共通電極３０に共通電圧ＶＣＯＭを供給し、且つ共通電極３０の電圧を検出電圧ＶＯＭ＿ＩＮとして取り込み、検出電圧ＶＣＯＭ＿ＩＮに異常がないか否か判定する機能を有する。なお、共通電極３０については後述する。
【００１８】
図２は、液晶パネル１０に設けられた各画素回路Ｐｘの回路図である。同図に示すように、各画素回路Ｐｘは、液晶素子ＣＬと書込トランジスターＴｒとを含む。液晶素子ＣＬは、共通電極３０と、画素電極２４と、共通電極３０及び画素電極２４の間に設けられた液晶２５とを含む。ここで、共通電極３０は、液晶パネル１０上の全ての画素の画素電極２４と対向している。電圧供給回路３００から供給される共通電圧ＶＣＯＭはこの共通電極３０に印加される。液晶素子ＣＬの液晶２５は、液晶素子ＣＬに印加される電圧、より正確には、共通電極３０と画素電極２４との間に印加される電圧に応じて、その透過率を変化させる。
【００１９】
本実施形態において、書込トランジスターＴｒは、走査線２１にゲートが接続されたＮチャネルトランジスターであり、液晶素子ＣＬとデータ線２２との間に設けられ、両者の電気的な接続（導通／非導通）を制御する。走査信号Ｇ［ｉ］がアクティブレベルにされると、第ｉ行の各画素回路Ｐｘにおける書込トランジスターＴｒが同時にオン状態に遷移する。
【００２０】
画素回路Ｐｘに対応する走査線２１が選択され、当該画素回路Ｐｘの書込トランジスターＴｒがオン状態に制御されたタイミングにおいて、当該画素回路Ｐｘには、データ線２２からデータ信号Ｖｄ［ｎ］が供給される。この結果、当該画素回路Ｐｘの液晶２５はデータ信号Ｖｄ［ｎ]に応じた透過率に設定されるため、当該画素回路Ｐｘに対応する画素はデータ信号Ｖｄ［ｎ]に応じた階調を表示する。
【００２１】
図３は電圧供給回路３００の機能構成を示すブロック図である。図３に示すように、電圧供給回路３００は、共通電圧生成回路３１０と、監視回路３５０と、特定回路３８０と、出力端子３２０と、入力端子３６０とを有する。ここで、出力端子３２０と入力端子３６０は、液晶パネル１０の共通電極３０に接続される。共通電圧生成回路３１０は、共通電圧ＶＣＯＭを出力端子３２０から共通電極３０に供給する。監視回路３５０は、共通電極３０の電圧を入力端子３６０から検出電圧ＶＣＯＭ＿ＩＮとして取り込む。監視回路３５０は、共通電極３０から得られる検出電圧ＶＣＯＭ＿ＩＮが正常か否かを判定する第１判定回路３５３と、共通電圧生成回路３１０の生成する共通電圧ＶＣＯＭが正常か否かを判定する第２判定回路３５４とを含む。特定回路３８０は、第１判定回路３５３及び第２判定回路３５４の判定結果に基づき、共通電圧生成回路３１０及び液晶パネル１０における異常の有無及び異常の種類を特定する。
【００２２】
図４は電圧供給回路３００の具体的な構成例を示す回路図である。この具体例において、共通電圧生成回路３１０は、抵抗により構成された分圧回路３１１と、オペアンプ３１２と、抵抗３１３および３１４とにより構成されている。
【００２３】
分圧回路３１１は、電源及び接地間の電圧を分圧することにより電圧ＲＥＧ＿ＩＮ＿Ａをオペアンプ３１２の非反転入力端子に供給する。
【００２４】
オペアンプ３１２の出力端子は出力端子３２０に接続されている。抵抗３１３及び３１４は、オペアンプ３１２の出力端子と固定電位との間に直列接続されている。この抵抗３１３及び３１４の共通接続点がオペアンプ３１２の反転入力端子に接続されている。
【００２５】
この構成によれば、オペアンプ３１２の出力電圧を抵抗３１３及び３１４により分圧した電圧ＲＥＧ＿ＩＮ＿Ｂがオペアンプ３１２の反転入力端子に帰還される。このため、例えば抵抗３１３の抵抗値がＲ１、抵抗３１４の抵抗値がＲ２、抵抗３１４に与えられる固定電位が接地であるとすると、オペアンプ３１２は、次式により与えられる共通電圧ＶＣＯＭを出力端子３２０から出力する。
ＶＣＯＭ＝ＲＥＧ＿ＩＮ＿Ａ・（Ｒ１＋Ｒ２）／Ｒ２        ……（１）
【００２６】
監視回路３５０は、第１基準電圧生成回路３５１と、第２基準電圧生成回路３５２と、第１判定回路３５３と、第２判定回路３５４と、抵抗３６１及び３６２とにより構成されている。
【００２７】
抵抗３６１及び３６２は、入力端子３６０と固定電位との間に直列接続されており、検出電圧ＶＣＯＭ＿ＩＮを分圧する分圧回路を構成している。この分圧回路は、定電圧ＲＥＧ＿ＩＮ＿Ａに対する共通電圧ＶＣＯＭの比（Ｒ１＋Ｒ２）／Ｒ２の逆数Ｒ２／（Ｒ１＋Ｒ２）を検出電圧ＶＣＯＭ＿ＩＮに乗じた電圧を生成するために設けられたものである。抵抗３１４に与えられる固定電位と抵抗３６２に与えられる固定電位が同電位である場合、抵抗３６１及び３６２の比は、抵抗３１３及び３１４の比と同じでよい。
【００２８】
第１基準電圧生成回路３５１は、共通電圧ＶＣＯＭより第１電圧α１だけ高い第１基準電圧ＶＣＯＭ＋α１と、共通電圧ＶＣＯＭより第２電圧α２だけ低い第２基準電圧ＶＣＯＭ−α２とを生成する回路である。第１電圧α１と第２電圧α２は異なっていてもよく、同じであってもよい。本実施形態では、簡単のため、第１電圧及び第２電圧は同じ電圧αであり、さらに後述する第３電圧〜第８電圧も同じ電圧αであるとする。第１電圧αは、液晶パネル１０に要求される表示品質に基づいて定めればよく、通常は１００ｍＶ程度である。
【００２９】
第２基準電圧生成回路３５２は、定電圧ＲＥＧ＿ＩＮ＿Ａより第３電圧αだけ高い第３基準電圧ＲＥＧ＿ＩＮ＿Ａ＋αと、定電圧ＲＥＧ＿ＩＮ＿Ａより第４電圧αだけ低い第２基準電圧ＲＥＧ＿ＩＮ＿Ａ−αとを生成する回路である。
【００３０】
共通電圧ＶＣＯＭから第１基準電圧ＶＣＯＭ＋α及び第２基準電圧ＶＣＯＭ−αを生成する第１基準電圧生成回路３５１に関しては、各種の構成が考えられる。第１基準電圧生成回路３５１は、レベルシフターであってもよく、オペアンプと抵抗からなる周知の乗算器であってもよい。あるいは電圧α及び−αを出力する電源と、共通電圧ＶＣＯＭに電圧αを加算する加算器と、共通電圧ＶＣＯＭに電圧−αを加算する加算器により第１基準電圧生成回路３５１を構成してもよい。第２基準電圧生成回路３５２についても同様である。
【００３１】
第１判定回路３５３は、検出電圧ＶＣＯＭ＿ＩＮが第１基準電圧ＶＣＯＭ＋α以下且つ第２基準電圧ＶＣＯＭ−α以上である場合に信号ＣＭＰ１をＨレベルとし、それ以外の場合に信号ＣＭＰ１をＬレベルとする。ここで、Ｈレベルの信号ＣＭＰ１は、検出電圧ＶＣＯＭ＿ＩＮが正常であることを示し、Ｌレベルの信号ＣＭＰ１は、検出電圧ＶＣＯＭ＿ＩＮが異常であることを示す。
【００３２】
第２判定回路３５４は、検出電圧ＶＣＯＭ＿ＩＮを抵抗３６１及び３６２により分圧した電圧ＶＣＯＭ＿ＩＮ・Ｒ２／（Ｒ１＋Ｒ２）が第３基準電圧ＲＥＧ＿ＩＮ＿Ａ＋α以下且つ第４基準電圧ＲＥＧ＿ＩＮ＿Ａ−α以上である場合に信号ＣＭＰ２をＨレベルとし、それ以外の場合に信号ＣＭＰ２をＬレベルとする。ここで、Ｈレベルの信号ＣＭＰ２は、共通電圧ＶＣＯＭが正常であることを示し、Ｌレベルの信号ＣＭＰ２は、共通電圧ＶＣＯＭが異常であることを示す。共通電圧ＶＣＯＭが正常か否かを判断するために、検出電圧ＶＣＯＭ＿ＩＮを用いるのは、液晶パネル１０が正常である状況では、検出電圧ＶＣＯＭ＿ＩＮは共通電圧ＶＣＯＭと略等しくなるからである。
【００３３】
図５は第１判定回路３５３の構成例を示す回路図である。この第１判定回路３５３は、２個のコンパレーター３５３１及び３５３２とＡＮＤゲート３５３３からなる周知のウインドウコンパレーターである。第２判定回路３５４も第１判定回路３５３と同様な構成である。
【００３４】
特定回路３８０は、第１判定回路３５３の判定結果を示す信号ＣＭＰ１と、第２判定回路３５４の判定結果を示す信号ＣＭＰ２とに基づき、液晶パネル１０の異常及び共通電圧生成回路３１０の異常の有無と異常の種類を特定する。ここで、液晶パネル１０の異常には、液晶パネル１０自体の異常の他、電圧供給回路３００と液晶パネル１０とを電気的に接続する配線の断線や他の配線との短絡も含まれる。
【００３５】
信号ＣＭＰ１及びＣＭＰ２がいずれもＨレベルである場合、すなわち、検出電圧ＶＣＯＭ＿ＩＮ及び共通電圧ＶＣＯＭがいずれも正常である場合、特定回路３８０は、液晶パネル１０及び共通電圧生成回路３１０がいずれも正常であると特定する。
【００３６】
信号ＣＭＰ１がＬレベルである場合、すなわち、検出電圧ＶＣＯＭ＿ＩＮが異常である場合、特定回路３８０は、液晶パネル１０に異常があると特定する。また、信号ＣＭＰ１がＨレベルであり、且つ信号ＣＭＰ２がＬレベルである場合、すなわち、検出電圧ＶＣＯＭ＿ＩＮが正常であり、且つ共通電圧ＶＣＯＭが異常である場合、特定回路３８０は、共通電圧生成回路３１０に異常があると特定する。
【００３７】
特定回路３８０により特定された情報は、制御回路４００及びインタフェース５００を介してホストプロセッサー２０００に送られる。ホストプロセッサー２０００では、この特定された情報、例えば液晶パネル１０に異常があるといった情報が図示しない表示器に表示される。
【００３８】
以上説明したように、本実施形態による電圧供給回路３００は、共通電極３０に供給する共通電圧ＶＣＯＭを生成する共通電圧生成回路３１０と、共通電圧ＶＣＯＭを液晶パネル１０に出力する出力端子３２０と、液晶パネル１０における共通電極３０の電圧が検出電圧ＶＣＯＭ＿ＩＮとして入力される入力端子３６０と、入力端子３６０に入力される検出電圧ＶＣＯＭ＿ＩＮが正常であるか否かを判定する第１判定回路３５３とを有する。
【００３９】
従って、共通電極３０の電圧の異常を検出することができる。また、本実施形態によれば、駆動回路１０００の内部の電圧ではなく、液晶パネル１０の共通電極３０の電圧を検出するので、液晶パネル１０の表示異常を正確に検知することができる。
【００４０】
また、本実施形態において、第１判定回路３５３は、検出電圧ＶＣＯＭ＿ＩＮが第１基準電圧以下且つ第２基準電圧以上である場合、正常であると判定する。また、電圧供給回路３００は、共通電圧ＶＣＯＭより第１電圧αだけ高い第１基準電圧と、共通電圧ＶＣＯＭより第２電圧αだけ低い第２基準電圧とを生成する第１基準電圧生成回路３５１を備える。従って、本実施形態によれば、検出電圧ＶＣＯＭ＿ＩＮの異常を適切な精度で検出することができる。また、本実施形態によれば、検出電圧ＶＣＯＭ＿ＩＮと比較される第１基準電圧及び第２基準電圧が共通電圧ＶＣＯＭと連動するので、共通電圧ＶＣＯＭの正常／異常に拘わらず、検出電圧ＶＣＯＭ＿ＩＮに基づいて液晶パネル１０の異常を検出することができる。
【００４１】
また、本実施形態によれば、共通電圧ＶＣＯＭが正常であるか否かを判定する第２判定回路３５４を設けたので、第１判定回路３５３の判定結果が否定であり、且つ第２判定回路３５４の判定結果が肯定である場合、液晶パネル１０に異常があると特定し、第２判定回路３５４の判定結果が否定である場合、共通電圧生成回路３１０に異常があると特定することができる。
【００４２】
また、本実施形態において、共通電圧生成回路３１０は、共通電圧ＶＣＯＭを所定の分圧比Ｒ２／（Ｒ１＋Ｒ２）で分圧した電圧と定電圧ＲＥＧ＿ＩＮ＿Ａとの比較結果に基づいて、共通電圧ＶＣＯＭを生成し、第２基準電圧生成回路３５２は、定電圧より第３電圧だけ高い第３基準電圧ＲＥＧ＿ＩＮ＿Ａ＋αと、定電圧より第４電圧だけ低い第４基準電圧ＲＥＧ＿ＩＮ＿Ａ−αとを生成する。従って、第２判定回路３５４は、検出電圧ＶＣＯＭ＿ＩＮを所定の分圧比Ｒ２／（Ｒ１＋Ｒ２）で分圧した電圧と、第３基準電圧及び第４基準電圧との比較により、共通電圧ＶＣＯＭが正常であるか否かを判定することができる。
【００４３】
Ｂ．第２実施形態
図６は第２実施形態である電圧供給回路の監視回路３５０Ａの構成を示す回路図である。本実施形態は、第１実施形態における第１判定回路３５３及び第２判定回路３５４の機能を、第１判定回路３５３Ａとスイッチの組み合わせで実現したものである。監視回路３５０Ａにおいて、第１判定回路３５３Ａの一方の入力端子には、スイッチＳＷ１及びＳＷ２の各一端が接続され、他方の入力端子にはスイッチＳＷ３及びＳＷ４の各一端が接続される。スイッチＳＷ１の他端には、第１基準電圧ＶＣＯＭ＋α及び第２基準電圧ＶＣＯＭ−αの組が与えられる。スイッチＳＷ２の他端には、第３基準電圧ＲＥＧ＿ＩＮ＿Ａ＋α及び第４基準電圧ＲＥＧ＿ＩＮ＿Ａ−αの組が与えられる。スイッチＳＷ３の他端には、検出電圧ＶＣＯＭ＿ＩＮが与えられる。スイッチＳＷ４の他端には、検出電圧ＶＣＯＭ＿ＩＮを抵抗３６１及び３６２により分圧した電圧が与えられる。
【００４４】
この監視回路３５０Ａでは、第１期間においてスイッチＳＷ１及びＳＷ３がＯＮ、スイッチＳＷ２及びＳＷ４がＯＦＦとなり、第２期間においてスイッチＳＷ１及びＳＷ３がＯＦＦ、スイッチＳＷ２及びＳＷ４がＯＮとなる。第１期間と第２期間は交互に繰り返される。
【００４５】
スイッチＳＷ１及びＳＷ２は、第１基準電圧及び第２基準電圧の組と、第３基準電圧及び第４基準電圧の組が入力され、第1期間において第１基準電圧及び第２基準電圧の組を第１判定回路３５３Ａに出力し、第２期間において第３基準電圧及び第４基準電圧の組を第１判定回路３５３Ａに出力する第１選択回路を構成している。
【００４６】
また、スイッチＳＷ３及びＳＷ４は、検出電圧と検出電圧を所定の分圧比で分圧した電圧とが各々入力され、第１期間において検出電圧を第１判定回路３５３Ａに出力し、第２期間において所定の分圧比で分圧した電圧を第１判定回路３５３Ａに出力する第２選択回路を構成している。
【００４７】
第１判定回路３５３Ａの出力端子は、フリップフロップ３７１及び３７２のデータ入力端子Ｄに接続される。フリップフロップ３７１のクロック入力端子Ｃには、第１期間にクロックφ１が入力される。フリップフロップ３７２のクロック入力端子Ｃには、第２期間にクロックφ２が入力される。そして、フリップフロップ３７１は信号ＣＭＰ１を出力し、フリップフロップ３７２は信号ＣＭＰ２を出力する。
【００４８】
第１判定回路３５３Ａと、フリップフロップ３７１及び３７２は、第２選択回路から出力される電圧が、第１選択回路から出力される基準電圧の組の範囲内にあるか否かを示す信号ＣＭＰ１及びＣＭＰ２を出力する回路として機能する。
【００４９】
第１判定回路３５３Ａは、上記第１実施形態の第１判定回路３５３としての機能及び第２判定回路３５４としての機能を併せ持つ。第１判定回路３５３Ａにおける上記第１実施形態の第１判定回路としての機能は、第１期間において第２選択回路から出力される電圧が基準電圧の組の範囲内にあれば、検出電圧ＶＣＯＭ＿ＩＮが正常であると判定し、第２判定回路としての機能は、第２期間において第２選択回路から出力される電圧が基準電圧の組の範囲内にあれば、共通電圧ＶＣＯＭが正常であると判定する。
【００５０】
図７は本実施形態の動作を示すタイムチャートである。第１期間では、スイッチＳＷ１及びＳＷ３がＯＮ、スイッチＳＷ２及びＳＷ４がＯＦＦとなるため、第１判定回路３５３Ａは、検出電圧ＶＣＯＭ＿ＩＮが第１基準電圧ＶＣＯＭ＋α以下且つ第２基準電圧ＶＣＯＭ−α以上か否かを判定する。この判定結果は、クロックφ１によりフリップフロップ３７１に書き込まれ、信号ＣＭＰ１として出力される。
【００５１】
第２期間では、スイッチＳＷ１及びＳＷ３がＯＦＦ、スイッチＳＷ２及びＳＷ４がＯＮとなるため、第１判定回路３５３Ａは、検出電圧ＶＣＯＭ＿ＩＮを抵抗３６１及び３６２により分圧した電圧が第３基準電圧ＲＥＧ＿ＩＮ＿Ａ＋α以下且つ第４基準電圧ＲＥＧ＿ＩＮ＿Ａ−α以上か否かを判定する。この判定結果は、クロックφ２によりフリップフロップ３７２に書き込まれ、信号ＣＭＰ２として出力される。
【００５２】
本実施形態では、このような動作が繰り返される。従って、本実施形態においても上記第１実施形態と同様な効果が得られる。また、本実施形態では、第１実施形態の判定回路３５３及び３５４を１個の判定回路３５３Ａに減らすことができるので消費電力を低減することができる。
【００５３】
Ｃ．第３実施形態
図８は第３実施形態である電圧供給回路の構成を示す回路図である。本実施形態では、上記第１実施形態の監視回路３５０を監視回路３５０Ｂに置き換える。上記第１実施形態の監視回路３５０では、共通電圧生成回路３１０の生成する共通電圧ＶＣＯＭが正常であるか否かを、入力端子３６０に与えられる検出電圧ＶＣＯＭ＿ＩＮに基づいて判定した。これに対し、本実施形態では、共通電圧生成回路３１０の生成する共通電圧ＶＣＯＭが正常であるか否かを、共通電圧ＶＣＯＭに基づいて判定する。
【００５４】
図８に示すように、監視回路３５０Ｂでは、出力端子３２０及び固定電位間に抵抗３６３及び３６４が直列接続されている。抵抗３６３及び３６４の抵抗比は、抵抗３１３及び３１４の抵抗比と同じであり、抵抗３６４に与えられる固定電位は抵抗３１４に与えられる固定電位と同電位である。この例では、抵抗３６３の抵抗値はＲ１、抵抗３６４の抵抗値はＲ２であるとする。
【００５５】
上記第１実施形態と同様、共通電圧生成回路３１０は、共通電圧ＶＣＯＭを所定の分圧比Ｒ２／（Ｒ１＋Ｒ２）で分圧した電圧と定電圧ＲＥＧ＿ＩＮ＿Ａとの比較結果に基づいて、共通電圧ＶＣＯＭを生成する。そして、第２基準電圧生成回路３５２は、定電圧より第３電圧だけ高い第３基準電圧ＲＥＧ＿ＩＮ＿Ａ＋αと、定電圧より第４電圧だけ低い第４基準電圧ＲＥＧ＿ＩＮ＿Ａ−αとを生成する。そして、本実施形態における第３判定回路３５５は、検出電圧ＶＣＯＭ＿ＩＮを所定の分圧比Ｒ２／（Ｒ１＋Ｒ２）で分圧した電圧が、第３基準電圧以下且つ前記第４基準電圧以上である場合、検出電圧ＶＣＯＭ＿ＩＮが正常であると判定し、信号ＣＭＰ３をＨレベルとする。また、本実施形態における第４判定回路３５６は、共通電圧ＶＣＯＭを所定の分圧比Ｒ２／（Ｒ１＋Ｒ２）で分圧した電圧ＶＣＯＭ＿ＣＯＭＰＩＮが、第３基準電圧以下且つ前記第４基準電圧以上である場合、共通電圧ＶＣＯＭが正常であると判定し、信号ＣＭＰ４をＨレベルとする。本実施形態においても上記第１実施形態と同様な効果が得られる。
【００５６】
なお、本実施形態では、共通電圧ＶＣＯＭを抵抗３６３及び３６４により分圧した電圧ＶＣＯＭ＿ＣＯＭＰＩＮを第４判定回路３５６に供給したが、抵抗３１３及び３１４の接続点に発生する電圧ＲＥＧ＿ＩＮ＿Ｂを第４判定回路３５６に供給してもよい。この態様は、抵抗３６３及び３６４を省略できるという利点がある。
【００５７】
Ｄ．第４実施形態
図９は第４実施形態における電圧供給回路３００と共通電極３０の構成を示す図である。共通電極３０は矩形形状をなしている。電圧供給回路３００は、図４のオペアンプ３１２の出力端子に接続された２つの出力端子３２０Ａ及び３２０Ｂと、図４の第１判定回路３５３及び第２判定回路３５４の各入力端子に接続された入力端子３６０を有する。
【００５８】
共通電極３０は、出力端子３２０Ａ及び３２０Ｂと電気的に接続され、共通電極３０の１辺に配置される第１接続部３２０Ａ’及び３２０Ｂ’と、入力端子３６０と電気的に接続され、共通電極３０の１辺と異なる辺、具体的には第１端子３２０Ａ’及び３２０Ｂ’の配置された辺と対向する辺に配置された第２接続部３６０’とを有する。
【００５９】
図９の例において、第１接続部３２０Ａ’及び３２０Ｂ’は共通電極３０の１辺において互いに離れた位置に設けられている。また、第２接続部３６０’はその１辺と対向する辺の略中央、すなわち、共通電極３０において電圧供給回路３００から最も遠い位置に設けられている。
【００６０】
本実施形態によれば、共通電極３０において共通電圧のワースト値が得られる点の電圧が電圧供給回路３００の入力端子３６０に与えられる。従って、最も厳しい条件で検出電圧ＶＣＯＭ＿ＩＮを検出することができる。
【００６１】
Ｅ．他の実施形態
以上、第１から第４実施形態について説明したが、他にも実施形態があり得る。例えば次の通りである。
【００６２】
（１）上記第１実施形態では、検出電圧ＶＣＯＭ＿ＩＮを共通電圧ＶＣＯＭから生成された第１基準電圧及び第２基準電圧と比較したが、例えば電圧源により生成される第１基準電圧及び第２基準電圧と比較するようにしてもよい。
【００６３】
（２）上記第１実施形態において、第１判定回路３５３は、検出電圧ＶＣＯＭ＿ＩＮが第１基準電圧以下且つ第２基準電圧以上である場合、正常であると判定した。しかし、そのようにする代わりに、検出電圧ＶＣＯＭ＿ＩＮが例えば第５基準電圧以下である場合に正常であると判定する、あるいは第６基準電圧以上である場合に正常であると判定する、という簡易な判定方法を実施してもよい。この態様は判定のための構成が簡単になるという利点がある。
【００６４】
この態様において、共通電圧生成回路３１０が、共通電圧ＶＣＯＭを所定の分圧比で分圧した電圧と定電圧との比較結果に基づいて、共通電圧ＶＣＯＭを生成する場合、第２判定回路３５４は、検出電圧ＶＣＯＭ＿ＩＮを所定の分圧比で分圧した電圧が、第７基準電圧以下又は第８基準電圧以上である場合、共通電圧が正常であると判定してもよい。
【００６５】
第１判定回路３５３及び第２判定回路３５４の判定結果から異常の有無及び異常の種類を特定する特定回路３８０の機能は上記第１実施形態と同様である。
【００６６】
あるいは第２判定回路３５４は、検出電圧ＶＣＯＭ＿ＩＮを所定の分圧比で分圧した電圧の代わりに、共通電圧ＶＣＯＭを所定の分圧比で分圧した電圧を用いて、共通電圧が正常であるか否かの判定を行ってもよい。
【００６７】
（３）共通電圧生成回路が、共通電圧ＶＣＯＭを所定の分圧比Ｒ２／（Ｒ１＋Ｒ２）で分圧した電圧と定電圧ＲＥＧ＿ＩＮ＿Ａとの比較結果に基づいて、共通電圧ＶＣＯＭを生成する電圧供給回路において、以下に挙げる第２基準電圧生成回路と、第５判定回路と、第６判定回路と、特定回路を設けてもよい。
【００６８】
第２基準電圧生成回路は、定電圧より第３電圧だけ高い第３基準電圧ＲＥＧ＿ＩＮ＿Ａ＋αと、定電圧より第４電圧だけ低い第４基準電圧ＲＥＧ＿ＩＮ＿Ａ−αとを生成する。第５判定回路は、共通電圧ＶＣＯＭを所定の分圧比Ｒ２／（Ｒ１＋Ｒ２）で分圧した電圧が、入力端子３６０に入力される検出電圧ＶＣＯＭ＿ＩＮを所定の分圧比Ｒ２／（Ｒ１＋Ｒ２）で分圧した電圧の、第１の値以上で且つ第２の値以下の場合、液晶パネル１０が正常である、と判定する。第６判定回路は、入力端子３６０に入力される検出電圧ＶＣＯＭ＿ＩＮを所定の分圧比Ｒ２／（Ｒ１＋Ｒ２）で分圧した電圧が、第３基準電圧以下且つ第４基準電圧である場合に、検出電圧ＶＣＯＭ＿ＩＮが正常である、と判定する。特定回路は、第５判定回路の判定結果が否定である場合、液晶パネル１０に異常があると特定し、第５判定回路の判定結果が肯定であり、且つ第６判定回路の判定結果が否定である場合、共通電圧生成回路３１０に異常があると特定する。
【００６９】
第５判定回路の機能は、例えば次のような構成により実現可能である。上述した図８の構成において、共通電圧ＶＣＯＭを所定の分圧比Ｒ２／（Ｒ１＋Ｒ２）で分圧した電圧ＲＥＧ＿ＩＮ＿Ｂに基づいて基準電圧ＲＥＧ＿ＩＮ＿Ｂ＋αと基準電圧ＲＥＧ＿ＩＮ＿Ｂ−αとを生成する。第５判定回路は、入力端子３６０に入力される検出電圧ＶＣＯＭ＿ＩＮを所定の分圧比Ｒ２／（Ｒ１＋Ｒ２）で分圧した電圧が、基準電圧ＲＥＧ＿ＩＮ＿Ｂ＋αと基準電圧ＲＥＧ＿ＩＮ＿Ｂ−αとの範囲内にある場合、液晶パネル１０が正常である、と判定する。入力端子３６０に入力される検出電圧ＶＣＯＭ＿ＩＮを所定の分圧比Ｒ２／（Ｒ１＋Ｒ２）で分圧した電圧が、基準電圧ＲＥＧ＿ＩＮ＿Ｂ＋αと基準電圧ＲＥＧ＿ＩＮ＿Ｂ−αとの範囲内にある場合、共通電圧ＶＣＯＭを所定の分圧比Ｒ２／（Ｒ１＋Ｒ２）で分圧した電圧は、検出電圧ＶＣＯＭ＿ＩＮを所定の分圧比Ｒ２／（Ｒ１＋Ｒ２）で分圧した電圧の、第１の値以上で且つ第２の値以下となるからである。ただし、第１の値及び第２の値は上記αにより定まる値である。この態様においても上記各実施形態と同様な効果が得られる。
【００７０】
Ｆ．応用例
以上の各形態に例示した液晶装置１は、各種の電子機器に利用され得る。図７から図１０には、液晶装置１を採用した電子機器の具体的な形態が例示されている。
【００７１】
図１０は、上記液晶装置１と同様な構成の液晶装置１Ｒ、１Ｇ及び１Ｂを適用した投射型表示装置３１００の模式図である。投射型表示装置３１００は、相異なる表示色、具体的には赤色、緑色、青色に対応する３個の液晶装置１Ｒ、Ｇ、１Ｂを含む。照明光学系３１０１は、照明装置３１０２からの出射光のうち赤色成分ｒを液晶装置１Ｒに供給し、緑色成分ｇを液晶装置１Ｇに供給し、青色成分ｂを液晶装置１Ｂに供給する。各液晶装置１は、照明光学系３１０１から供給される各単色光を表示画像に応じて変調する光変調器として機能する。投射光学系３１０３は、各液晶装置１からの出射光を合成して投射面３１０４に投射する。観察者は、投射面３１０４に投射された画像を視認する。
【００７２】
図１１は、液晶装置１を採用した可搬型のパーソナルコンピューター３２００の斜視図である。パーソナルコンピューター３２００は、各種の画像を表示する液晶装置１と、電源スイッチ３２０１やキーボード３２０２が設置された本体部３２１０とを具備する。
【００７３】
図１２は、液晶装置１を適用した情報携帯端末（ＰＤＡ：Personal Digital Assistants）の構成例を示す図である。情報携帯端末３３００は、複数の操作ボタン３３０１及び電源スイッチ３３０２、並びに表示ユニットとしての液晶装置１を備える。電源スイッチ３３０２を操作すると、住所録やスケジュール帳といった各種の情報が液晶装置１に表示される。
【００７４】
なお、液晶装置１が適用される電子機器としては、図１０から図１２に例示した機器のほか、携帯情報端末（ＰＤＡ：Personal Digital Assistants），デジタルスチルカメラ、テレビ、ビデオカメラ、電子手帳、電子ペーパー、電卓、ワードプロセッサ、ワークステーション、テレビ電話、ＰＯＳ端末、プリンター、スキャナー、複写機、ビデオプレーヤー、タッチパネルを備えた機器等などが挙げられる。
【００７５】
図１３は、液晶装置１を適用した移動体の構成例を示す。移動体は、例えばエンジンやモーター等の駆動機構、ハンドルや舵等の操舵機構、各種の電子機器を備えて、地上や空や海上を移動する機器又は装置である。移動体として、例えば、車、飛行機、バイク、船舶、或いはロボット等を想定できる。図１０は移動体の具体例としての自動車３４００を概略的に示している。自動車３４００は、車体３４０１や車輪３４０２を有する。自動車３４００には、液晶パネル１０と、駆動回路１０００と、自動車３４００の各部を制御するホストプロセッサー２０００が組み込まれている。ホストプロセッサー２０００は例えばＥＣＵなどを含むことができる。液晶パネル１０は例えばメーターパネル等のパネル機器である。ホストプロセッサー２０００は、ユーザーに提示するための画像を生成し、その画像を駆動回路１０００に送信する。駆動回路１０００は、受信した画像を液晶パネル１０に表示する。例えば車速や燃料残量、走行距離、各種装置の設定等の情報が画像として表示される。
【符号の説明】
【００７６】
１，１Ｒ，１Ｇ，１Ｂ…液晶装置、１０…液晶パネル、２１…走査線、２２…データ線、Ｐｘ…画素回路、１０００…駆動回路、１００…走査線駆動回路、２００，２００Ａ…データ線駆動回路、３００…電圧供給回路、４００，４００Ａ…制御回路、５００…インタフェース、２０００…ホストプロセッサー、Ｔｒ…書込トランジスター、２４…画素電極、２５…液晶、３０…共通電極、ＣＬ…液晶素子、３１０…共通電圧生成回路、３５０，３５０Ａ，３５０Ｂ…監視回路、３８０…特定回路、３２０，３２０Ａ，３２０Ｂ…出力端子、３６０…入力端子、３１１…分圧回路、３１２…オペアンプ、３１３，３１４，３６１，３６２…抵抗、３５１…第１基準電圧生成回路、３５２…第２基準電圧生成回路、３５３，３５３Ａ…第１判定回路、３５４…第２判定回路、３５５…第３判定回路、３５６…第４判定回路、３５３１，３５３２…コンパレーター、３５３３…ＡＮＤゲート、ＳＷ１〜ＳＷ４…スイッチ、３７１，３７２…フリップフロップ、３２０Ａ’，３２０Ｂ’…第１端子、３６０’…第２端子、３１００…投射型表示装置、３１０１…照明光学系、３１０２…照明装置、３１０３…投射光学系、３２００…パーソナルコンピューター、３２０１…電源スイッチ、３２０２…キーボード、３２１０…本体部、３３００…携帯電話機、３３０１…操作ボタン、３３０２…スクロールボタン、３４００…自動車、３４０１…車体、３４０２…車輪。
【図１】
2020140032.tif 000003
【図２】
2020140032.tif 000004
【図３】
2020140032.tif 000005
【図４】
2020140032.tif 000006
【図５】
2020140032.tif 000007
【図６】
2020140032.tif 000008
【図７】
2020140032.tif 000009
【図８】
2020140032.tif 000010
【図９】
2020140032.tif 000011
【図１０】
2020140032.tif 000012
【図１１】
2020140032.tif 000013
【図１２】
2020140032.tif 000014
【図１３】
2020140032.tif 000015